(57)【要約】  本発明は、効率よいオブジェクト認識及び番号認識方法が適用された駐車誘導システムに関し、具体的に、モーション認識、オブジェクト認識、駐車面設定、番号認識方式を適用した駐車誘導システムに関する。本発明の１様態である駐車誘導方法は、カメラが少なくとも１つの映像を入力される第１のステップと、前記少なくとも１つの映像内でモーションが感知されるか否かを判断する第２のステップと、前記モーションが感知される場合、前記少なくとも１つの映像内のオブジェクト認識を試みる第３のステップと、前記オブジェクト認識が成功する場合、前記認識したオブジェクトが、所定の複数の駐車面の少なくとも一部である第１の駐車面と重なる領域が発生したかを判断する第４のステップと、前記重なる領域が発生した場合、前記認識したオブジェクトが車両であるか、人間であるかを判断する第５のステップと、前記認識したオブジェクトが車両である場合、前記車両が前記第１の駐車面の全領域のうち、所定の割合以上の領域を占有するか否かを判断する第６のステップと、前記車両が前記所定の割合以上の領域を占有した場合、前記車両が前記第１の駐車面に駐車したことと決定する第７のステップと、前記車両の車両番号を認識する第８のステップとを含むことを特徴とする。【選択図】図２
2021510428.tif 000002
【特許請求の範囲】
【請求項１】
カメラが少なくとも１つの映像を入力される第１のステップと、
前記少なくとも１つの映像内でモーションが感知されるか否かを判断する第２のステップと、
前記モーションが感知される場合、前記少なくとも１つの映像内のオブジェクト認識を試みる第３のステップと、
前記オブジェクト認識が成功する場合、前記認識したオブジェクトが、所定の複数の駐車面の少なくとも一部である第１の駐車面と重なる領域が発生したかを判断する第４のステップと、
前記重なる領域が発生した場合、前記認識したオブジェクトが車両であるか、人間であるかを判断する第５のステップと、
前記認識したオブジェクトが車両である場合、前記車両が前記第１の駐車面の全領域のうち、所定の割合以上の領域を占有するか否かを判断する第６のステップと、
前記車両が前記所定の割合以上の領域を占有した場合、前記車両が前記第１の駐車面に駐車したことと決定する第７のステップと、
前記車両の車両番号を認識する第８のステップとを含むことを特徴とする駐車誘導方法。
【請求項２】
前記第３のステップは、更に、
前記映像内で所定のサイズ以上のオブジェクトが存在するかを判断する第３−１のステップと、
前記オブジェクトを基準に、一定の距離離隔したオブジェクトボックスを設定する第３−２のステップとを含み、
前記第５のステップは、
前記オブジェクトボックス内に存在するオブジェクトが車両であるか、人間であるかを判断することを特徴とする請求項１に記載の駐車誘導方法。
【請求項３】
前記第８のステップは、更に、
前記オブジェクトボックスの全領域のうち、所定の下端の領域を番号認識領域と設定する第８−１のステップと、
前記番号認識領域に対して、番号認識動作を行う第８−２のステップと、
前記番号認識動作の失敗及び成功より、前記車両のナンバープレートの位置と前記オブジェクトボックスの間の関連値を累積して格納する第８−３のステップとを含むことを特徴とする請求項２に記載の駐車誘導方法。
【請求項４】
前記第８のステップが、前記車両ではない他の車両に適用される場合、
前記累積した複数の関連値のうち、‘前記他の車両のナンバープレートの位置と、前記他の車両のオブジェクトボックスの間の関連値’と最も類似した第１の関連値を決め、
前記第１の関連値に関するモデルにより、前記他の車両の番号認識動作を行うことを特徴とする請求項３に記載の駐車誘導方法。
【請求項５】
前記認識したオブジェクトが人間である場合、
前記第５のステップの以後には、更に、
前記第１の駐車面の既存の状態をそのまま維持するステップを含み、
前記既存の状態は、入車又は空車状態であることを特徴とする請求項１に記載の駐車誘導方法。
【請求項６】
前記第６のステップにおいて、前記車両が前記所定の割合以上の領域を占有しない場合、
前記第１の駐車面は、出車されたことと決定するステップを更に含むことを特徴とする請求項１に記載の駐車誘導方法。
【請求項７】
前記第２のステップにおいて、所定の時間以上、前記モーションが感知されない場合、前記第３のステップを行うことを特徴とする請求項１に記載の駐車誘導方法。
【請求項８】
少なくとも１つの映像を入力されるカメラと、
前記少なくとも１つの映像内でモーションが感知される場合、前記少なくとも１つの映像内のオブジェクト認識を試みる制御部とを含み、
前記制御部は、
前記オブジェクト認識が成功する場合、前記認識したオブジェクトが、所定の複数の駐車面の少なくとも一部である第１の駐車面と重なる領域が発生したかを判断し、
前記重なる領域が発生した場合、前記認識したオブジェクトが車両であるか、人間であるかを判断し、
前記認識したオブジェクトが車両である場合、前記車両が前記第１の駐車面の全領域のうち、所定の割合以上の領域を占有するか否かを判断し、
前記車両が前記所定の割合以上の領域を占有した場合、前記車両が前記第１の駐車面に駐車したことと決定し、
前記車両の車両番号を認識することを特徴とする駐車誘導システム
【請求項９】
前記制御部は、
前記映像内で所定のサイズ以上のオブジェクトが存在するかを判断し、
前記オブジェクトを基準に、一定の距離離隔したオブジェクトボックスを設定し、
前記オブジェクトボックス内に存在するオブジェクトが車両であるか、人間であるかを判断することを特徴とする請求項８に記載の駐車誘導システム。
【請求項１０】
前記制御部は、
前記オブジェクトボックスの全領域のうち、所定の下端の領域を番号認識領域と設定し、前記番号認識領域に対して、番号認識動作を行い、
前記番号認識動作の失敗及び成功より、前記車両のナンバープレートの位置と、前記オブジェクトボックスの間の関連値を累積してメモリに格納することを特徴とする請求項９に記載の駐車誘導システム。
【請求項１１】
前記番号認識動作が前記車両ではない他の車両に適用される場合、
前記制御部は、
前記累積した複数の関連値のうち、‘前記他の車両のナンバープレートの位置と、前記他の車両のオブジェクトボックスの間の関連値'と最も類似した第１の関連値を決定し、
前記第１の関連値に関するモデルにより、前記他の車両の番号認識動作を行うことを特徴とする請求項１０に記載の駐車誘導システム。
【請求項１２】
前記認識したオブジェクトが人間である場合、
前記制御部は、
前記第１の駐車面の既存の状態をそのまま維持し、
前記既存の状態は、入車又は空車状態であることを特徴とする請求項８に記載の駐車誘導システム。
【発明の詳細な説明】
【技術分野】
【０００１】
本発明は、効率よいオブジェクト認識及び番号認識方法が適用された駐車誘導システムに関し、具体的に、本発明は、モーション認識、オブジェクト認識、駐車面設定、番号認識方式を適用した駐車誘導システムに関する。
【背景技術】
【０００２】
経済成長と所得増加に伴い、車両の需要が急増していることに対して、道路事情や交通状況を管理する人力は、不足している実情である。そこで、制限された人員で現在の交通管理体系を克服しようとする努力がなされている。
【０００３】
このような努力の一環として、車両の自動認識（番号認識を含む）システムの開発が活発に行われている。車両認識又は車両の番号（文字）認識を通じて、交通取締は勿論、交通量調査、盗難車両検挙、出入車両統制、駐車施設管理などの多様な分野に効率よく利用可能であり、現在まで多くの研究がなされている。
【０００４】
特に、車両ナンバープレートの文字を認識するための過程は、他の文字認識とは異なり、周辺の環境的な影響で、カメラノイズ、照明変化、天気などによって、歪んだ現象が発生するため、強力な処理方法が考えられるべきである。しかし、車両のナンバープレート領域の場合、その固有の特性上、内容が制限されており、一般の文字認識（パターン認識）と比較して、構造が単純である。このような理由によって、車両番号認識（License Plate Recognition: ＬＰＲ）は、環境的な特性、車両の需要増加、人力需給、及び駐車空間の資源管理を効率よく運営するための最も通常のシステムであると言える。
【０００５】
ＬＰＲシステム又は番号認識の技術は、イギリスで１９７６年に最初に開発された。その以後、数十年の間、技術が進化し、市場需要が増加することにつれ、ＬＰＲシステムは成長しつつ、東南アジアを始めとしたヨーロッパに逐次拡大された。これにより、米国の北米地域でも、ＬＰＲシステム市場が大きく成長している。これは、効率的な犯罪鎮圧及び予防技術に対する強い動機付与となり、より広い市場に活性化されるきっかけとなった。
【０００６】
過去の車両番号認識（ＬＰＲ）又はＡＬＰＲ（Automated LPR）システムは、車両ナンバープレートを判読するために、カメラより獲得されたイメージ（映像）に、光学文字認識（Optical Character Recognition: OCR）を用いて、監視方法（Surveillance Method）で適用された。近年、駐車管理システムの名前で、駐車空間の効率的な業務を行っている。現在、ＬＰＲシステムは、駐車環境に関して、管理人が駐車料金を精算することで、人力需給及び人件費の負担の現状を解決しており、ＬＰＲシステムの需要は増加しつつ、技術の変化及び開発が持続的になっている。
【０００７】
また、公共安全と個人保安などの理由で、現代には、あっちこっちにＣＣＴＶ（closed circuit television）が設置されており、現在も進行中であり、ＣＣＴＶなどで記録された資料は、犯罪予防と犯罪発生時の証拠資料として活用されている。
【０００８】
しかし、ＣＣＴＶにより特定の車両を確認するためには、車両の予想動線を予め把握して、動線内のＣＣＴＶをリアルタイムで監視するか、録画された内容を一々再生して車両を確認しなければならないという不便さと、人的・物的・時間的な制約がある。
【先行技術文献】
【特許文献】
【０００９】
なし
【発明の概要】
【発明が解決しようとする課題】
【００１０】
本発明は、効率よいオブジェクト認識及び番号認識方法が適用された駐車誘導システムに関し、具体的に、モーション認識、オブジェクト認識、駐車面設定、番号認識方式などを適用した駐車誘導システムをユーザに提供しようとする。
【００１１】
一方、本発明で達成しようとする技術的課題は、以上で言及した技術的課題に制限されず、言及していない他の技術的課題は、以下の記載から、本発明が属する技術分野における通常の知識を有する者にとって、明確に理解されるだろう。
【課題を解決するための手段】
【００１２】
前記の技術的課題を達成するための本発明の１様態である駐車誘導方法は、カメラが少なくとも１つの映像を入力される第１のステップと、前記少なくとも１つの映像内でモーションが感知されるか否かを判断する第２のステップと、前記モーションが感知される場合、前記少なくとも１つの映像内のオブジェクト認識を試みる第３のステップと、前記オブジェクト認識が成功する場合、前記認識したオブジェクトが、所定の複数の駐車面の少なくとも一部である第１の駐車面と重なる領域が発生したかを判断する第４のステップと、前記重なる領域が発生した場合、前記認識したオブジェクトが車両であるか、人間であるかを判断する第５のステップと、前記認識したオブジェクトが車両である場合、前記車両が前記第１の駐車面の全領域のうち、所定の割合以上の領域を占有するか否かを判断する第６のステップと、前記車両が前記所定の割合以上の領域を占有した場合、前記車両が前記第１の駐車面に駐車したことと決定する第７のステップと、前記車両の車両番号を認識する第８のステップとを含むことを特徴とする。
【００１３】
前記第３のステップは、更に、前記映像内で所定のサイズ以上のオブジェクトが存在するかを判断する第３−１のステップと、前記オブジェクトを基準に、一定の距離離隔したオブジェクトボックスを設定する第３−２のステップとを含み、前記第５のステップは、前記オブジェクトボックス内に存在するオブジェクトが車両であるか、人間であるかを判断する。
【００１４】
前記第８のステップは、更に、前記オブジェクトボックスの全領域のうち、所定の下端の領域を番号認識領域と設定する第８−１のステップと、前記番号認識領域に対して、番号認識動作を行う第８−２のステップと、前記番号認識動作の失敗及び成功より、前記車両のナンバープレートの位置と前記オブジェクトボックスの間の関連値を累積して格納する第８−３のステップとを含む。
【００１５】
前記第８のステップが、前記車両ではない他の車両に適用される場合、前記累積した複数の関連値のうち、‘前記他の車両のナンバープレートの位置と、前記他の車両のオブジェクトボックスの間の関連値'と最も類似した第１の関連値を決め、前記第１の関連値に関するモデルにより、前記他の車両の番号認識動作を行う。
【００１６】
前記認識したオブジェクトが人間である場合、前記第５のステップの以後には、更に、前記第１の駐車面の既存の状態をそのまま維持するステップを含み、前記既存の状態は、入車又は空車状態である。
【００１７】
前記第６のステップにおいて、前記車両が前記所定の割合以上の領域を占有しない場合、前記第１の駐車面は、出車されたことと決定するステップを更に含む。
【００１８】
前記第２のステップにおいて、所定の時間以上、前記モーションが感知されない場合、前記第３のステップを行う。
【００１９】
また、前記の技術的課題を達成するための本発明の他の１様態である駐車誘導システムは、少なくとも１つの映像を入力されるカメラと、前記少なくとも１つの映像内でモーションが感知される場合、前記少なくとも１つの映像内のオブジェクト認識を試みる制御部とを含み、前記制御部は、前記オブジェクト認識が成功する場合、前記認識したオブジェクトが、所定の複数の駐車面の少なくとも一部である第１の駐車面と重なる領域が発生したかを判断し、前記重なる領域が発生した場合、前記認識したオブジェクトが車両であるか、人間であるかを判断し、前記認識したオブジェクトが車両である場合、前記車両が前記第１の駐車面の全領域のうち、所定の割合以上の領域を占有するか否かを判断し、前記車両が前記所定の割合以上の領域を占有した場合、前記車両が前記第１の駐車面に駐車したことと決定し、前記車両の車両番号を認識することを特徴とする。
【００２０】
前記制御部は、前記映像内で所定のサイズ以上のオブジェクトが存在するかを判断し、前記オブジェクトを基準に、一定の距離離隔したオブジェクトボックスを設定し、
前記オブジェクトボックス内に存在するオブジェクトが車両であるか、人間であるかを判断する。
【００２１】
前記制御部は、前記オブジェクトボックスの全領域のうち、所定の下端の領域を番号認識領域と設定し、前記番号認識領域に対して、番号認識動作を行い、前記番号認識動作の失敗及び成功より、前記車両のナンバープレートの位置と前記オブジェクトボックスの間の関連値を累積してメモリに格納する。
【００２２】
前記番号認識動作が前記車両ではない他の車両に適用される場合、前記制御部は、前記累積した複数の関連値のうち、‘前記他の車両のナンバープレートの位置と、前記他の車両のオブジェクトボックスの間の関連値'と最も類似した第１の関連値を決定し、前記第１の関連値に関するモデルにより、前記他の車両の番号認識動作を行う。
【００２３】
前記認識したオブジェクトが人間である場合、前記制御部は、前記第１の駐車面の既存の状態をそのまま維持し、前記既存の状態は、入車又は空車状態である。
【発明の効果】
【００２４】
本発明は、効率よいナンバープレート探知及び番号認識方法が適用された駐車誘導システムに関し、具体的に、モーション認識、オブジェクト認識、駐車面設定、番号認識方式などを適用した駐車誘導システムを、ユーザに提供することができる。
【００２５】
本発明では、モーション認識に関して、カメラ映像から、以前の映像との動きを判断して、動きがある場合にのみ動作し、動きがない場合でも、一定の周期で処理動作を行い、オブジェクト認識に関して画面で一定のサイズ以上の物体を検知し、検知位置を四角状に特定した後、種類を判断することで、精度を高めることができる。
【００２６】
また、本発明では、駐車場内の面設定に関して、検知した物体のうち、駐車場面の一定以上の前方にある物体を判別している場合、該当駐車面と重なる箇所を探して遮蔽として処理し、自動車中にそれぞれの駐車面と重なる割合が一定値を超えると、その駐車面が占有していると処理し、該当駐車面に重なる割合が一定以上大きい自動車物体がなく、且つ、遮蔽に該当しない場合は、空駐車面と判定することで、エラーを減らすことができる。
【００２７】
また、本発明では、映像内で物体領域ボックスを１／３下端に移動して、番号認識領域を設定し、毎回の番号認識結果と位置を格納し、番号の統計を求め、最も多いものを決めることで、番号認識率を高めることができる。
【００２８】
一方、本発明より得られる効果は、以上で言及した効果に制限されず、言及していない他の効果は、以下の記載から本発明が属する技術分野における通常の知識を有する者にとって、明確に理解されるだろう。
【図面の簡単な説明】
【００２９】
【図１】図１は、本発明に適用される駐車誘導システムを説明するブロック構成図である。
【図２】図２は、本発明が提案するモーション認識、オブジェクト認識、駐車面設定、番号認識方式などを適用した駐車誘導方法を説明するシーケンス図である。
【図３ａ】及び
【図３ｂ】は、本発明における車両オブジェクト検知の一例を示している。
【図４ａ】及び
【図４ｂ】は、本発明における車両及び人間の混合したオブジェクト検知の一例を示している。
【図５ａ】及び
【図５ｂ】は、本発明における駐車面をセットする一例を示している。
【図６ａ】及び
【図６ｂ】は、本発明における遮蔽として処理する一例を示している。
【図７ａ】及び
【図７ｂ】は、本発明における番号を認識する一例を示している。
【図８】図８は、本発明が提案する駐車案内方法を説明するシーケンス図である。
【発明を実施するための形態】
【００３０】
駐車誘導システム
本発明が提案するモーション認識、オブジェクト認識、駐車面設定、番号認識方式などを適用した駐車誘導システムの具体的な説明に先立って、該当システムの各構成に含まれる駐車誘導システムについて、基本的に説明する。
【００３１】
図１は、本発明に適用される駐車誘導システムを説明するブロック構成図である。
【００３２】
前記駐車誘導システムは、無線通信部１１０と、Ａ／Ｖ（Audio／Video）入力部１２０と、ユーザ入力部１３０と、感知部１４０と、出力部１５０と、メモリ１６０と、インターフェース部１７０と、制御部１８０と、給電部１９０とを含む。 
【００３３】
但し、図１に示されている構成要素は必須ではなく、それより多くの構成要素を有するか、それより少ない構成要素を有する駐車誘導システムを具現することができる。
【００３４】
以下、前記構成要素について、考察してみる。
【００３５】
無線通信部１１０は、駐車誘導システムと無線通信システムの間、又は駐車誘導システムと駐車誘導システムが位置したネットワークの間の無線通信を可能とする１以上のモジュールを含む。 
【００３６】
例えば、無線通信部１１０は、放送受信モジュール１１１と、移動通信モジュール１１２と、無線インターネットモジュール１１３と、近距離通信モジュール１１４と、位置情報モジュール１１５とを含む。
【００３７】
放送受信モジュール１１１は、放送チャンネルを介して、外部の放送管理サーバより、放送信号及び／又は放送に関する情報を受信する。
【００３８】
前記放送チャンネルは、衛星チャンネル、地上波チャンネルを含む。前記放送管理サーバは、放送信号及び／又は放送に関する情報を生成し送信するサーバ、又は生成済みの放送信号及び／又は放送に関する情報を提供されて、駐車誘導システムに送信するサーバである。前記放送信号は、ＴＶ放送信号、ラジオ放送信号、データ放送信号を含むだけでなく、ＴＶ放送信号又はラジオ放送信号にデータ放送信号が結合された形状の放送信号も含む。 
【００３９】
前記放送に関する情報は、放送チャンネル、放送プログラム、又は放送サービス提供者に関する情報である。前記放送に関する情報は、移動通信網を介しても提供される。このような場合、前記移動通信モジュール１１２によって受信される。
【００４０】
前記放送に関する情報は、様々な形態で存在する。例えば、ＤＭＢ（Digital Multimedia Broadcasting）のＥＰＧ（Electronic Program Guide）、又はＤＶＢ−Ｈ（Digital Video Broadcast-Handheld）のＥＳＧ（Electronic Service Guide）の形態で存在する。
【００４１】
前記放送受信モジュール１１１は、例えば、ＤＭＢ−Ｔ（Digital Multimedia Broadcasting-Terrestrial）、ＤＭＢ−Ｓ（Digital Multimedia Broadcasting-Satellite）、MediaFLO（Media Forward Link Only）、ＤＶＢ−Ｈ（Digital Video Broadcast-Handheld）、ＩＳＤＢ−Ｔ（Integrated Services Digital Broadcast-Terrestrial）などのデジタル放送システムを用いて、デジタル放送信号を受信することができる。もちろん、前記放送受信モジュール１１１は、上述したデジタル放送システムだけでなく、他の放送システムに適して構成される。
【００４２】
放送受信モジュール１１１を介して受信された放送信号及び／又は放送に関する情報は、メモリ１６０に格納される。
【００４３】
移動通信モジュール１１２は、移動通信網上で、基地局、外部の駐車誘導システム、サーバの少なくとも１つと無線信号を送受信する。
【００４４】
文字／マルチメディアメッセージ送受信による様々な形態のデータを含むことができる。
【００４５】
無線インターネットモジュール１１３は、無線インターネット接続のためのモジュールであり、駐車誘導システムに内装又は外装される。無線インターネットの技術としては、ＷＬＡＮ（Wireless LAN）（Wi-Fi）、Ｗｉｂｒｏ（Wireless broadband（登録商標））、Ｗｉｍａｘ（World Interoperability for Microwave Access（登録商標））、ＨＳＤＰＡ（High Speed Downlink Packet Access）などが利用可能である。
【００４６】
近距離通信モジュール１１４は、近距離通信のためのモジュールである。近距離通信（short range communication）技術として、ブルトゥース（Bluetooth（登録商標））、ＲＦＩＤ（Radio Frequency Identification）、赤外線通信（IrDA、infrared Data Association）、ＵＷＢ（Ultra Wideband）、ＺｉｇＢｅｅ（登録商標）、Ｗｉ−Ｆｉ（Wireless Fidelity、Wi-Fi（登録商標））などが利用可能である。
【００４７】
位置情報モジュール１１５は、駐車誘導システムの位置を獲得するためのモジュールであって、その代表例として、ＧＰＳ（Global Position System）モジュールがある。
【００４８】
図１を参照すると、Ａ／Ｖ（Audio／Video）入力部１２０は、オーディオ信号又はビデオ信号の入力のためのもので、これにはカメラ１２１とマイク１２２などが含まれる。カメラ１２１は、撮影モードでイメージセンサによって得られる静止画又は動画などの画像フレームを処理する。処理された画像フレームは、ディスプレイ部１５１に表示される。
【００４９】
カメラ１２１で処理された画像フレームは、メモリ１６０に格納されるか、無線通信部１１０を介して外部に伝送される。カメラ１２１は、使用環境によって、２以上設けられる。
【００５０】
マイク１２２は、録音モード、音声認識モードなどで、マイクロホン（Microphone）によって、外部の音響信号を入力されて、電気的な音声データとして処理する。処理された音声データは、移動通信モジュール１１２を介して、移動通信基地局へ送信可能な形態に変換出力される。マイク１２２には、外部の音響信号を入力される過程で発生するノイズを除去するための様々な雑音除去アルゴリズムが具現される。
【００５１】
ユーザ入力部１３０は、ユーザが駐車誘導システムの動作制御のための入力データを発生させる。ユーザ入力部１３０は、キーパッド（key pad）、ドームスイッチ（dome switch）、タッチパッド（静圧／停電）、ジョグホイール、ジョグスイッチからなる。
【００５２】
感知部１４０は、駐車誘導システムの開閉状態、駐車誘導システムの位置、ユーザの接触有無、駐車誘導システムの方位、駐車誘導システムの加速／減速などのように、駐車誘導システムの現状態を感知して、駐車誘導システムの動作を制御する感知信号を発生させる。
【００５３】
感知部１４０は、給電部１９０の給電可否、インターフェース部１７０の外部の駐車誘導システム結合の可否などを感知する。
【００５４】
一方、前記感知部１４０は、近接センサ１４１を含む。
【００５５】
出力部１５０は、視覚、聴覚、又は触覚などに関する出力を発生するためのもので、ディスプレイ部１５１と、音響出力モジュール１５２と、アラーム部１５３と、ハプティックモジュール１５４と、プロジェクタモジュール１５５とを含む。
【００５６】
ディスプレイ部１５１は、駐車誘導システムで処理される情報を表示（出力）する。
【００５７】
ディスプレイ部１５１は、液晶ディスプレイ（liquid crystal display、ＬＣＤ）、薄膜トランジスタ液晶ディスプレイ（thin film transistor-liquid crystal display、ＴＦＴ ＬＣＤ）、有機発光ダイオード（organic light-emitting diode、OLED）、フレキシブルディスプレイ（flexible display）、３次元ディスプレイ（3D display）の少なくとも１つを含む。
【００５８】
これらのうち、一部のディスプレイは、外部を見られるように、透明型又は光透過型からなる。これは、透明ディスプレイといい、前記透明ディスプレイの代表例としては、TOLED（Transparent OLED）などがある。ディスプレイ部１５１の後方構造も、光透過型構造からなることができる。このような構造により、ユーザは、駐車誘導システムボディのディスプレイ部１５１が占める領域を通じて、駐車誘導システムボディの後方に位置した事物を見ることができる。
【００５９】
駐車誘導システムの形態により、ディスプレイ部１５１が２つ以上存在する。例えば、駐車誘導システムには、複数のディスプレイ部が１つの面に離隔するか、一体に配置され、また、互いに異なる面にそれぞれ配置されることもできる。 
【００６０】
ディスプレイ部１５１とタッチ動作を感知するセンサ（以下、‘タッチセンサ’という）とが相互レイヤー構造をなす場合（以下、‘タッチスクリーン’という）、ディスプレイ部１５１は、出力装置の他に、入力装置としても使用可能である。タッチセンサは、例えば、タッチフィルム、タッチシート、タッチパッドなどの形態を有する。
【００６１】
タッチセンサは、ディスプレイ部１５１の特定の部位に加えられた圧力、又はディスプレイ部１５１の特定の部位で発生する静電容量などの変化を、電気的な入力信号に変換するように構成される。タッチセンサは、タッチされる位置及び面積だけでなく、タッチ時の圧力までも検出できるように構成される。
【００６２】
タッチセンサに対するタッチ入力がある場合、それに対応する信号は、タッチ制御機に送出される。タッチ制御機は、その信号を処理した後、対応するデータを制御部１８０に伝送する。もって、制御部１８０は、ディスプレイ部１５１のある領域がタッチされたか否か分かることになる。
【００６３】
前記近接センサ１４１は、前記タッチスクリーンによって覆われる駐車誘導システムの内部領域、又は前記タッチスクリーンの近傍に配置される。前記近接センサは、所定の検出面に近づける物体、あるいは、近傍に存在する物体の有無を電磁系の力又は赤外線を用いて、機械的に接触することなく、検出するセンサをいう。近接センサは、接触式センサよりは寿命が長く、その活用度も高い。
【００６４】
前記近接センサの例としては、透過型光電センサ、直接反射型光電センサ、ミラー反射型光電センサ、高周波発振型近接センサ、静電容量型近接センサ、磁気型近接センサ、赤外線近接センサがある。前記タッチスクリーンが静電式の場合は、前記ポインタの近接による電界の変化で、前記ポインタの近接を検出するように構成される。この場合、前記タッチスクリーン（タッチセンサ）は、近接センサに分類される。
【００６５】
以下では、説明の便宜のために、前記タッチスクリーン上にポインタが接触されず、且つ、近接し、前記ポインタが前記タッチスクリーン上に位置することが認識される行為を、“近接タッチ（proximity touch）”といい、前記タッチスクリーン上にポインタが実際に接触される行為を“接触タッチ（contact touch）”という。前記タッチスクリーン上でポインタに近接タッチされる位置とは、前記ポインタが近接タッチされる時、前記ポインタが前記タッチスクリーンに対して、垂直に対応する位置を意味する。
【００６６】
前記近接センサは、近接タッチと、近接タッチパターン（例えば、近接タッチ距離、近接タッチ方向、近接タッチ速度、近接タッチ時間、近接タッチ位置、近接タッチ移動状態など）を感知する。前記感知された近接タッチ動作及び近接タッチパターンに相応する情報は、タッチスクリーン上に出力される。
【００６７】
音響出力モジュール１５２は、録音モード、音声認識モード、放送受信モードなどで無線通信部１１０から受信されるか、メモリ１６０に格納されたオーディオデータを出力する。音響出力モジュール１５２は、駐車誘導システムで行われる機能に関する音響信号を出力したりする。このような音響出力モジュール１５２には、レシーバ（Receiver）、スピーカ（speaker）、ブザー（Buzzer）などが含まれる。
【００６８】
アラーム部１５３は、駐車誘導システムのイベント発生を報知するための信号を出力する。
【００６９】
アラーム部１５３は、ビデオ信号やオーディオ信号の他に、例えば、振動でイベント発生を報知するための信号を出力する。
【００７０】
前記ビデオ信号やオーディオ信号は、ディスプレイ部１５１や音声出力モジュール１５２によっても出力され、これらのディスプレイ部１５１、音声出力モジュール１５２は、アラーム部１５３の一部として分類可能である。
【００７１】
ハプティックモジュール（haptic module）１５４は、ユーザが感じられる様々な触覚効果を発生させる。ハプティックモジュール１５４が発生させる触覚効果の代表例としては、振動がある。ハプティックモジュール１５４が発生する振動の強さとパターンなどは、制御可能である。 
【００７２】
例えば、互いに異なる振動を合成して出力するか、順次出力することもできる。
【００７３】
ハプティックモジュール１５４は、振動の他にも、接触肌面について垂直運動するピン配列、噴射口や吸入口による空気の噴射力や吸入力、肌表面に対する擦れ、電極（electrode）の接触、静電気力などの刺激による効果と、吸熱や発熱可能な素子を用いた冷温感再現による効果など、様々な触覚効果を発生することができる。
【００７４】
ハプティックモジュール１５４は、直接的な接触により、触覚効果を伝達することができるだけでなく、ユーザが指や腕などの筋感覚を通じて、触覚効果を感じられるように具現することもできる。ハプティックモジュール１５４は、携帯駐車誘導システムの構成様態によって、２以上設けられる。
【００７５】
プロジェクタモジュール１５５は、駐車誘導システムを用いて、イメージプロジェクト（project）の機能を行うための構成要素であって、制御部１８０の制御信号によって、ディスプレイ部１５１上に表示される映像と同一であるか、少なくとも一部が異なる映像を、外部スクリーン又は壁に表示可能である。
【００７６】
具体的に、プロジェクタモジュール１５５は、映像を外部に出力するための光（一例として、レーザ光）を発生させる光源（図示せず）、光源によって発生した光を用いて、外部に出力する映像を生成するための映像生成手段（図示せず）、及び映像を一定の焦点距離で外部に拡大出力するためのレンズ（図示せず）を含む。また、プロジェクタモジュール１５５は、レンズ又はモジュールの全体を機械的に動かして、映像投射方向を調節する装置（図示せず）を含むことができる。
【００７７】
プロジェクタモジュール１５５は、ディスプレイ手段の素子の種類によって、ＣＲＴ（Cathode Ray Tube）モジュール、ＬＣＤ（Liquid Crystal Display）モジュール、及びＤＬＰ（Digital Light Processing）モジュールなどに分けられる。特に、ＤＬＰモジュールは、光源より発生した光がＤＭＤ（Digital Micromirror Device）チップに反射されることで生成された映像を拡大投射する方式で、プロジェクタモジュール１５１の小型化に有利である。
【００７８】
望ましくは、プロジェクタモジュール１５５は、駐車誘導システムの側面、正面、又は背面に長さ方向に設けられる。また、プロジェクタモジュール１５５は、必要によって、駐車誘導システムのある位置でも設けられることは、言うまでもない。
【００７９】
メモリ１６０は、制御部１８０の処理及び制御のためのプログラムが格納され、入出力されるデータ（例えば、メッセージ、オーディオ、静止画、動画など）の仮格納のための機能も行う。前記メモリ１６０には、前記データのそれぞれに対する使用頻度も共に格納される。また、前記メモリ１６０には、前記タッチスクリーン上のタッチ入力時に出力される様々なパターンの振動及び音響に関するデータを格納することができる。
【００８０】
メモリ１６０は、フラッシュメモリータイプ（flash memory type）、ハードディスクタイプ（hard disk type）、マルチメディアカードマイクロタイプ（multimedia card micro type）、カードタイプのメモリ（例えば、ＳＤ又はＸＤメモリなど）、ラム（Random Access Memory、RAM）、ＳＲＡＭ（Static Random Access Memory）、ロム（Read-Only Memory、ROM）、ＥＥＰＲＯＭ（Electrically Erasable Programmable Read-Only Memory）、ＰＲＯＭ（Programmable Read-Only Memory）、磁気メモリ、磁気ディスク、光ディスクの少なくとも１つのタイプの格納媒体を含む。駐車誘導システムは、インターネット（internet）上で、前記メモリ１６０の格納機能を行うウェブストレージ（web storage）に関して動作することもできる。
【００８１】
インターフェース部１７０は、駐車誘導システムに連結される全ての外部の駐車誘導システムとの通路役割を果たす。インターフェース部１７０は、外部の駐車誘導システムからデータを伝送されるか、電源を供給されて、駐車誘導システム内の各構成要素に伝達するか、駐車誘導システム内部のデータが外部の駐車誘導システムに伝送される。例えば、有無線ヘッドセットポート、外部充電器ポート、有無線データポート、メモリカード（memory card）ポート、識別モジュールが設けられた装置を連結するポート、オーディオI／O（Input／Output）ポート、ビデオI／O（Input／Output）ポート、イヤホンポートなどが、インターフェース部１７０に含まれる。 
【００８２】
識別モジュールは、駐車誘導システムの使用権限を認証するための各種の情報を格納したチップであって、ユーザ認証モジュール（User Identify Module、UIM）、加入者認証モジュール（Subscriber Identify Module、SIM）、汎用ユーザ認証モジュール（Universal Subscriber Identity Module、USIM）などを含む。識別モジュールが設けられた装置（以下、‘識別装置’）は、スマートカード（smart card）の形式で製作される。従って、識別装置は、ポートを介して、駐車誘導システムと連結可能である。
【００８３】
前記インターフェース部は、移動駐車誘導システムが外部のクレードル（cradle）と連結される時、前記クレードルからの電源が前記移動駐車誘導システムに供給される通路となるか、ユーザによって、前記クレードルより入力される各種の指令信号が、前記移動駐車誘導システムに伝達される通路となり得る。前記クレードルより入力される各種の指令信号又は前記電源は、前記移動駐車誘導システムが前記クレードルに正しく装着されたことを認知するための信号として動作される。
【００８４】
制御部１８０は、通常、駐車誘導システムの全般的な動作を制御する。
【００８５】
制御部１８０は、マルチメディア再生のためのマルチメディアモジュール２００を備える。マルチメディアモジュール２００は、制御部１８０内に具現されるか、制御部１８０と別に具現される。
【００８６】
前記制御部１８０は、前記タッチスクリーン上で行われる手書き入力又は描き入力を各々文字及びイメージとして認識するパターン認識処理を行うことができる。
【００８７】
給電部１９０は、制御部１８０の制御によって、外部の電源、内部の電源を印加されて、各構成要素の動作に必要な電源を供給する。
【００８８】
ここで説明される多様な実施例は、例えば、ソフトウェア、ハードウェア、又は、これらの組み合わせを用いて、コンピュータ又はこれに類似した装置で判読可能な記録媒体内で具現可能である。
【００８９】
ハードウェア的な具現によると、ここで説明される実施例は、ASICs（application specific integrated circuits）、DSPs（digital signal processors）、DSPDs（digital signal processing devices）、PLDs（programmable logic devices）、FPGAs（field programmable gate arrays、プロセッサ（processors）、コントローラ（controllers）、マイクロコントローラ（micro-controllers）、マイクロプロセッサ（microprocessors）、その他の機能を行うための電気的なユニットの少なくとも１つを用いて具現可能である。一部の場合、本明細書で説明する実施例が制御部１８０自体で具現される。
【００９０】
ソフトウェアモジュールとして具現可能である。前記ソフトウェアモジュールのそれぞれは、本明細書で説明される１つ以上の機能及び作動を行うことができる。適切なプログラム言語として書かれたソフトウェアアプリケーションでソフトウェアコードが具現される。前記ソフトウェアコードは、メモリ１６０に格納され、制御部１８０によって実行可能である。
【００９１】
駐車誘導方法
前述した本発明の構成を基に、駐車誘導方法を、図２を参照して具体的に説明する。
【００９２】
図２は、本発明が提案するモーション認識、オブジェクト認識、駐車面設定、番号認識方式などを適用した駐車誘導方法を説明するシーケンス図である。
【００９３】
図２を参照すると、まず、制御部１８０がモーションを検知するステップ（Ｓ１０）が行われる。この時、モーション検知（Motion Detection）は、動きがある場合とない場合とを区分して処理される。
【００９４】
すなわち、カメラ１２１が獲得した映像から、以前の映像との動きを判断して、動きがある場合にのみ、制御部１８０によってオブジェクト認識の試みが行われる（Ｓ２０）。
【００９５】
一方、動きがない場合は、一定の周期を適用して、オブジェクト認識を試みるようになるが、例えば、動きがない場合、２０秒毎に一回ずつ、モーション可否を判断（Ｓ３０）する。
【００９６】
この時、２０秒以内でモーションが認識されると、制御部１８０は、オブジェクト認識を試み（Ｓ２０）、２０秒以上認識されるモーションがない場合は、２０秒が経過した後に、制御部１８０がオブジェクト認識を試みる（Ｓ２０）ことになる。
【００９７】
但し、ここで、２０秒の周期は、本発明が適用される単なる一例に過ぎず、より多様な周期が適用され得ることは、自明である。
【００９８】
オブジェクト認識ステップ（Ｓ２０）では、自動車（乗用車、SUV、バン、トラックなど）、バス、人間、バイク、自転車などのオブジェクトが認識される。
【００９９】
ここで、制御部１８０は、画面で一定のサイズ以上の物体を検知し、検知位置を四角状と特定して、種類を判断することができる。
【０１００】
図３ａ及び図３ｂは、本発明における車両オブジェクト検知の一例を示している。
【０１０１】
図３ａ及び図３ｂを参照すると、画面で一定のサイズ以上の物体である車両に関する検知位置を四角状と特定して認識する一例が示されている。
【０１０２】
また、図４ａ及び図４ｂは、本発明における車両及び人間が混合したオブジェクト検知の一例を示している。
【０１０３】
図４ａ及び図４ｂを参照すると、画面で一定のサイズ以上の物体である車両と複数の人間に関する検知位置を四角形と特定して認識する一例が示されている。
【０１０４】
ステップＳ２０の以後、制御部１８がオブジェクト認識を成功したかを判断するステップ（Ｓ４０）が行われる。
【０１０５】
もし、オブジェクト認識が失敗した場合は、ステップＳ１０乃至ステップＳ３０が再度行われる。
【０１０６】
オブジェクト認識に成功した場合、制御部１８０は、設定された駐車面との関連性を比較（Ｓ５０）し、駐車面と重なる領域が発生したか否かを判断（Ｓ６０）する。
【０１０７】
もし、駐車面と重なる領域が発生しない場合は、ステップＳ１０乃至ステップＳ３０を再度行い、発生した場合は、車両又は人間であるかのオブジェクトの種類を判断（Ｓ７０）し、人間である場合は、既存の駐車面状態を維持する（Ｓ９０）。
【０１０８】
もし、車両である場合は、オブジェクトが駐車面領域外の前方まで含んでいるか否かを判断（Ｓ８０）し、含む場合は、既存の駐車面状態を維持し（Ｓ９０）、含まない場合は、駐車面領域の一定の領域以上を占めているか否かを判断することになる（Ｓ１００）。
【０１０９】
図５ａ及び図５ｂは、本発明に関して、駐車面をセットする一例を示している。
【０１１０】
図５ａ及び図５ｂを参照すると、ステップＳ１００において、一定の領域以上占めると判断される場合は、制御部１８０は、入車処理を行う（Ｓ１１０）。
【０１１１】
また、ステップＳ１００において、一定の領域以上占めていない場合は、出車（空車）処理することになる（Ｓ１３０）。
【０１１２】
更に、ステップＳ１１０、Ｓ１２０、及びＳ１３０におけるイメージなどのデータは、データベース化して、格納可能である。
【０１１３】
ステップＳ５０乃至Ｓ１３０に関して、検知した物体のうち、駐車場面の一定以上の前方にある物体を判別している場合、該当駐車面と重なる箇所を探して、遮蔽として処理することができる。
【０１１４】
また、前記遮蔽に該当しない自動車、バス中にそれぞれの駐車面と重なる割合を求め、その割合が一定値を超えると、その駐車面車があることと判定することも可能である。
【０１１５】
図６ａ及び図６ｂは、本発明に関して、遮蔽として処理する一例を示している。
【０１１６】
図６ａ及び図６ｂを参照すると、もし、本実施例で重なる割合が駐車面の２つを占める場合、二面を同時占有したことと決定することができる。
【０１１７】
また、駐車面と重なる物体のうち、人間がいる場合、遮蔽として判断し、駐車面の満／空状態を以前の状態に維持することができる。
【０１１８】
また、該当駐車面に重なる割合が一定以上大きい自動車／バス物体がないと、遮蔽に該当しない場合、空の駐車面と判定する。
【０１１９】
一方、ステップＳ１１０の以後、車両番号を認識する動作を行う（Ｓ１２０）。
【０１２０】
ステップＳ１２０において、制御部１８０は、駐車面が占有状態と判断されると、該当物体領域で番号認識を行うが、映像内で物体領域ボックスを１／３下端に移動して、番号認識領域を設定する。
【０１２１】
これは、ナンバープレートが下端に位置するので、認識率向上のために適用されることである。
【０１２２】
また、制御部１８０は、毎回の番号認識結果と位置を格納し、番号の統計を求めて、最も多いことと決定する方式を適用する。
【０１２３】
また、制御部１８０は、以前に認識されたナンバープレートの位置と現在の映像との関連値を求めて、関連値が高い場合、番号認識をスキップすることで、全体の処理速度を向上することができる。
【０１２４】
この時、一定の時間の間スキップが繰り返されると、無視し、番号認識が行われる。
【０１２５】
これに関して、図７ａ及び図７ｂは、本発明における番号認識する一例を示している。
【０１２６】
一方、番号が未整合された車両が発生することがあり、このような未整合車両を捜さなればならないというニーズがある。
【０１２７】
すなわち、出車時に未認識又は誤認識されるイベントは、作業者によって修正が可能であるか、入車時に誤認識されるイベントは、全車両を点検しなければならない。
【０１２８】
また、出車の精算時、入車の誤認識により、該当車両を探せない問題が発生し、入車中、出車と類似したイメージを探す必要があるという問題点もある。
【０１２９】
従って、本発明では、入車中で番号認識の結果が未認識又は認識車のうち、３桁番号と類似した車を候補群とし、候補群を基に、色相、メーカーロゴ、SURF matchingの３種類で順位を決定して表示した後、作業者が選択する方式によって、該当問題を解消することができる。
【０１３０】
本発明による駐車案内方法
図８は、本発明に関して、本発明が提案する駐車案内方法を説明するシーケンス図である。
【０１３１】
図８による本発明が提案する駐車案内方法は、前述したシステム１００、及びユーザが利用する端末を基に行われる。
【０１３２】
図８を参照すると、まず、固定カメラ１２１を用いて、空の駐車領域及び占有された駐車領域を周期的にチェックするステップ（Ｓ２１０）が行われる。
【０１３３】
この時、各駐車面の前方で駐車面番号標識が行われており（Ｓ２２０）、運転手が駐車後、該当駐車面番号と駐車車両番号が表示されるように、アプリケーションを用いて写真をアップロードするステップ（Ｓ２３０）が行われる。
【０１３４】
以後、アプリケーションにより、現在の位置情報を共にサーバに転送して、駐車場位置を判別（Ｓ２４０）し、アップロードされた写真より、駐車面番号と車両番号を獲得して、駐車開始ＤＢに格納するステップ（Ｓ２５０）が行われる。
【０１３５】
また、ステップＳ２５０の以後に、アプリケーションより出車を選択すると、駐車料金が事前に登録された決済方式で処理（Ｓ２６０）され、事前に登録された決済方法がないと、駐車場に設備された無人精算器で駐車面番号を入力して、駐車料金を決済するステップ（Ｓ２７０）が行われる。
【０１３６】
入車とはなっているが、一定の時間内に入車登録となっていない場合、管理者に自動通報するステップ（Ｓ２８０）、及び決済することなく出車される場合、管理者に自動通報するステップ（Ｓ２９０）が適用される。
【０１３７】
本発明による効果
本発明は、効率よいオブジェクト認識及び番号認識方法が適用された駐車誘導システムに関し、具体的に、モーション認識、オブジェクト認識、駐車面設定、番号認識方式などを適用した駐車誘導システムを、ユーザに提供することができる。
【０１３８】
本発明では、モーション認識に関して、カメラ映像より、以前の映像との動きを判断して、動きがある場合にのみ動作し、動きがない場合でも、一定の周期で処理動作を行い、オブジェクト認識に関して、画面で一定のサイズ以上の物体を検知し、検知位置を四角形と特定した後、種類を判断することで、精度を高めることができる。
【０１３９】
また、本発明では、駐車場内の面設定に関して、検知した物体のうち、駐車場面の一定以上前方にある物体を判別している場合、該当駐車面と重なる箇所を探して遮蔽として処理し、自動車、バス中にそれぞれの駐車面と重なる割合が一定値を超えると、その駐車面が占有したことと処理し、該当駐車面に重なる割合が一定以上大きい自動車／バス物体がなく、且つ、遮蔽に該当しない場合は、空の駐車面として判定することで、エラーを減らすことができる。
【０１４０】
また、本発明では、映像内で物体領域ボックスを１／３下端に移動して、番号認識領域を設定し、毎回の番号認識結果と位置を格納して、番号の統計を求め、最も多いものを決定することで、番号認識率を高めることができる。
【０１４１】
上述した本発明の実施例は、様々な手段により、具現可能である。例えば、本発明の実施例は、ハードウェア、ファームウエア（firmware）、ソフトウェア、又はそれらの組み合わせなどによって具現される。
【０１４２】
ハードウェアによる具現の場合、本発明の実施例による方法は、１又はそれ以上のASICs（Application Specific Integrated Circuits）、DSPs（Digital Signal Processors）、DSPDs（Digital Signal Processing Devices）、PLDs（Programmable Logic Devices）、FPGAs（Field Programmable Gate Arrays）、プロセッサ、コントローラ、マイクロコントローラ、マイクロプロセッサなどによって具現される。
【０１４３】
ファームウエアやソフトウェアによる具現の場合、本発明の実施例による方法は、以上で説明した機能又は動作を行うモジュール、手続き又は関数などの形態で具現される。ソフトウェアコードは、メモリユニットに格納されて、プロセッサによって駆動される。前記メモリユニットは、前記プロセッサの内部又は外部に位置して、既に公知の手段によって、前記プロセッサとデータをやりとりすることができる。
【０１４４】
上述したように開示された本発明の好適な実施例に対する詳細な説明は、当業者が本発明を具現し実施できるように提供されている。前記では、本発明の好適な実施例を参照して説明したが、該当技術分野の熟練した当業者は、本発明の領域から逸脱しない範囲内で、本発明を多様に修正及び変更できることを理解されるだろう。例えば、当業者は、上述した実施例に記載された各構成を互いに組み合わせる方式で利用可能である。よって、本発明は、ここに現れた実施形態に制限されることではなく、ここで開示された原理及び新規の特徴と一致する最も広い範囲を付与しようとすることである。
【０１４５】
本発明は、本発明の精神及び必須の特徴を逸脱しない範囲で、他の特定の形態に具体化することができる。よって、前記の詳細な説明は、あらゆる面で制限的に解析されてはいけなく、例示的なことと考えられるべきである。本発明の範囲は、添付の請求項の合理的解析によって決められるべきであり、本発明の等価的範囲内での全ての変更は、本発明の範囲に含まれる。本発明は、ここに現れた実施形態に制限されことではなく、ここで開示された原理及び新規の特徴と一致する最も広い範囲を付与しようとすることである。また、特許請求の範囲で明示的な引用関係がない請求項を結合して、実施例を構成するか、出願後の補正によって、新たな請求項として含むことができる。
【図１】
2021510428.tif 000003
【図２】
2021510428.tif 000004
【図３ａ】
2021510428.tif 000005
【図３ｂ】
2021510428.tif 000006
【図４ａ】
2021510428.tif 000007
【図４ｂ】
2021510428.tif 000008
【図５ａ】
2021510428.tif 000009
【図５ｂ】
2021510428.tif 000010
【図６ａ】
2021510428.tif 000011
【図６ｂ】
2021510428.tif 000012
【図７ａ】
2021510428.tif 000013
【図７ｂ】
2021510428.tif 000014
【図８】
2021510428.tif 000015
【国際調査報告】
2021510428.tif 000016
2021510428.tif 000017
2021510428.tif 000018
2021510428.tif 000019